(57)【要約】【課題】既設天井であっても、野縁受けハンガーを交換することなく、野縁受けハンガーに耐震補強金具を取付けるだけの簡単な工事で耐震補強を行うことができると共に、補強ブレースの増設を容易にする。【解決手段】躯体天井部１から所定の間隔を存して垂下される複数の吊りボルト２と、吊りボルト２の下端部に固定される野縁受けハンガー３と、野縁受けハンガー３のＵ字状部３ｂで支持される野縁受け４と、吊りボルト２間に傾斜状に架設される補強ブレース５とを含む天井下地の耐震補強金具６であって、該耐震補強金具６は、野縁受けハンガー３に固定される野縁受けハンガー固定部６ａと、野縁受けハンガー３のＵ字状部３ｂの拡開を規制する野縁受けハンガー拡開規制部６ｂと、補強ブレース５の下端部を取付可能な補強ブレース取付部６ｃとを一体的に備える。【選択図】図２
2010121370.tif 000002
【特許請求の範囲】
【請求項１】
躯体天井部から所定の間隔を存して垂下される複数の吊りボルトと、該吊りボルトの下端部に固定される野縁受けハンガーと、該野縁受けハンガーのＵ字状部で支持される野縁受けと、前記吊りボルト間に傾斜状に架設される補強ブレースとを含む天井下地の耐震補強金具であって、
該耐震補強金具は、
前記野縁受けハンガーに固定される野縁受けハンガー固定部と、
前記補強ブレースの下端部を取付可能な補強ブレース取付部と、
前記野縁受けハンガーのＵ字状部の拡開を規制する野縁受けハンガー拡開規制部とを一体的に備えることを特徴とする天井下地用耐震補強金具。
【請求項２】
前記補強ブレース取付部は、前記野縁受けハンガー固定部の両側部に形成され、２本の前記補強ブレースを取付可能であることを特徴とする請求項１記載の天井下地用耐震補強金具。
【請求項３】
前記補強ブレース取付部及び前記野縁受けハンガー拡開規制部は、前記野縁受けハンガー固定部に一体に折曲形成されることを特徴とする請求項１又は２記載の天井下地用耐震補強金具。
【発明の詳細な説明】
【技術分野】
【０００１】
本発明は、天井下地の耐震強度を向上させる天井下地用耐震補強金具に関し、詳しくは、躯体天井部から所定の間隔を存して垂下される複数の吊りボルトと、該吊りボルトの下端部に固定される野縁受けハンガーと、該野縁受けハンガーのＵ字状部で支持される野縁受けと、前記吊りボルト間に傾斜状に架設される補強ブレースとを含む天井下地の耐震補強金具に関する。
【背景技術】
【０００２】
従来の天井構造としては、在来天井やシステム天井が知られている（例えば、特許文献１参照）。在来天井は、吊りボルトを介して躯体天井部に支持される複数の野縁受け（チャンネル）と、ジョイント部材（Ｗクリップ、Ｓクリップ等）を介して野縁受けに支持される複数の野縁（Ｗバー、Ｓバー等）と、野縁にビス止めされる天井パネルとから構成される。また、システム天井は、吊りボルトを介して躯体天井部に支持される複数の野縁受けと、ジョイント部材（Ｔバーハンガー等）を介して野縁受けに支持される複数のＴバーと、格子状に組まれたＴバー上に載置される天井パネルとから構成される。
【０００３】
上記のような天井構造では、耐震強度を向上させるために、吊りボルト間に補強ブレースを傾斜状に架設することが好ましい（例えば、特許文献２参照）。特に、長尺な吊りボルトを用いる天井下地においては、吊りボルトの振れ幅が大きいため、補強ブレースによる吊りボルトの振れ止めが必須となっている。そして、補強ブレースを含む天井下地の施工に際しては、補強ブレースの上端部を吊りボルトの上端部に固定するための上部ブレース固定金具と、補強ブレースの下端部を吊りボルトの下端部に固定するための下部ブレース固定金具が用いられる。
【０００４】
また、吊りボルトの下端部に野縁受けを取付ける際には、野縁受けハンガーが使用される。一般的な野縁受けハンガーは、吊りボルトの下端部に固定される吊りボルト固定部と、野縁受けを支持するＵ字状部とを備えており、野縁受けは、Ｕ字状部の上部開口からＵ字状部内に落とし込むことにより、野縁受けハンガーで支持される。
【０００５】
近年、天井下地の耐震強度を更に向上させることが求められている。天井下地の耐震強度を向上させる方法としては、例えば、補強ブレースの増設や、野縁受けハンガーの強度アップが考えられるが、補強ブレースの数を増やすと、ブレース固定金具の必要数も増えるという問題がある。一方、野縁受けハンガーは、地震の揺れによってＵ字状部が拡開状に変形すると、野縁受けのガタツキによってＴバーなどが位置ずれし、天井パネルの脱落につながる惧れがあるので、強度アップされた新たな野縁受けハンガーが望まれるのであるが、既設天井の耐震補強においては、野縁受けハンガーを交換するという大規模な工事が必要になるため、適用が困難である。
【特許文献１】特開２００６−９４９５号公報
【特許文献２】特開２００３−１３８６８８号公報
【発明の開示】
【発明が解決しようとする課題】
【０００６】
本発明は、上記の如き問題点を一掃すべく創案されたものであって、躯体天井部から所定の間隔を存して垂下される複数の吊りボルトと、該吊りボルトの下端部に固定される野縁受けハンガーと、該野縁受けハンガーのＵ字状部で支持される野縁受けと、前記吊りボルト間に傾斜状に架設される補強ブレースとを含む天井下地の耐震補強金具でありながら、野縁受けハンガーに固定される野縁受けハンガー固定部と、補強ブレースの下端部を取付可能な補強ブレース取付部と、野縁受けハンガーのＵ字状部の拡開を規制する野縁受けハンガー拡開規制部とを一体的に備えることにより、既設天井であっても、野縁受けハンガーを交換することなく、野縁受けハンガーに取付けるだけの簡単な工事で耐震補強を行うことができ、しかも、補強ブレースの固定金具を兼ねることにより、補強ブレースの増設を容易に行うことができる天井下地用耐震補強金具の提供を目的とする。
【課題を解決するための手段】
【０００７】
上記課題を解決するために本発明に係る天井下地用耐震補強金具は、躯体天井部から所定の間隔を存して垂下される複数の吊りボルトと、該吊りボルトの下端部に固定される野縁受けハンガーと、該野縁受けハンガーのＵ字状部で支持される野縁受けと、前記吊りボルト間に傾斜状に架設される補強ブレースとを含む天井下地の耐震補強金具であって、該耐震補強金具は、前記野縁受けハンガーに固定される野縁受けハンガー固定部と、前記補強ブレースの下端部を取付可能な補強ブレース取付部と、前記野縁受けハンガーのＵ字状部の拡開を規制する野縁受けハンガー拡開規制部とを一体的に備えることを特徴とするものである。
【発明の効果】
【０００８】
本発明は、上記のように構成したことにより、躯体天井部から所定の間隔を存して垂下される複数の吊りボルトと、該吊りボルトの下端部に固定される野縁受けハンガーと、該野縁受けハンガーのＵ字状部で支持される野縁受けと、前記吊りボルト間に傾斜状に架設される補強ブレースとを含む天井下地の耐震補強金具でありながら、野縁受けハンガーに固定される野縁受けハンガー固定部と、野縁受けハンガーのＵ字状部の拡開を規制する野縁受けハンガー拡開規制部と、補強ブレースの下端部を取付可能な補強ブレース取付部とを一体的に備えることにより、地震の揺れによって野縁受けハンガーのＵ字状部が拡開状に変形してしまうことが確実に防止されて、野縁受けのガタツキやＴバーなどの位置ずれに対して極めて有効な耐震強度の向上を図ることができ、天井パネルの脱落が生じる危惧を回避することができるばかりか、新設天井は勿論、既設天井であっても、野縁受けハンガーを交換することなく、野縁受けハンガーに取付けるだけの簡単な工事で耐震補強を行うことができ、しかも、補強ブレースの固定金具を兼ねることにより、補強ブレースの増設を容易に行うことができる。
【発明を実施するための最良の形態】
【０００９】
以下、本発明の実施の形態を好適な実施の形態として例示する天井下地用耐震補強金具を図面に基づいて詳細に説明する。図１は、本発明の実施形態に係る天井下地の側面図、図２は、本発明の実施形態に係る天井下地の要部側面図、図３の（Ａ）、（Ｂ）は、本発明の実施形態に係る耐震補強金具の平面図、側面図、図４は、本発明の実施形態に係る耐震補強金具の取付方法を示す説明図、図５は、本発明の実施形態に係る耐震補強金具の取付状態を示す正面図である。
【００１０】
これらの図に示す天井下地には、躯体天井部１から所定の間隔を存して垂下される複数の吊りボルト２と、吊りボルト２の下端部に固定される野縁受けハンガー３と、野縁受けハンガー３のＵ字状部で支持される野縁受け４と、吊りボルト２間に傾斜状に架設される補強ブレース５と、野縁受けハンガー３に取付けられる耐震補強金具６とが含まれている。
【００１１】
なお、天井下地には、さらに、補強ブレース５の上端部を吊りボルト２の上端部に固定する上部ブレース固定金具や、ジョイント部材を介して野縁受け４に支持されるＴバーなどが含まれるが、本発明に係る耐震補強金具６との関連性が低いため、図示及び説明を省略する。
【００１２】
野縁受けハンガー３は、吊りボルト２の下端部に固定される吊りボルト固定部３ａと、野縁受け４を支持するＵ字状部３ｂとを備えており、野縁受け４は、Ｕ字状部３ｂの上部開口からＵ字状部３ｂ内に落とし込むことにより、野縁受けハンガー３で支持される。本実施形態の野縁受けハンガー３は、Ｕ字状部３ｂの一端に野縁受け４を抜止めする係止片３ｃを備えるが、係止片３ｃの有無は任意である。
【００１３】
本実施形態の補強ブレース５は、断面コ字状のチャンネル材からなり、耐震強度を向上させるために、吊りボルト２間に傾斜状に架設される。特に、長尺な吊りボルト２を用いる天井下地においては、吊りボルト２の振れ幅が大きいため、補強ブレース５による吊りボルト２の振れ止めが必須となっている。また、既設天井の耐震補強に際しては、補強ブレース５の増設が有効である。
【００１４】
耐震補強金具６は、野縁受けハンガー３に固定される野縁受けハンガー固定部６ａと、野縁受けハンガー３のＵ字状部３ｂの拡開を規制する野縁受けハンガー拡開規制部６ｂと、補強ブレース５の下端部を取付可能な補強ブレース取付部６ｃとを一体的に備えており、既設天井、新設天井を問わず、野縁受けハンガー３に取付けることができる。
【００１５】
野縁受けハンガー固定部６ａは、野縁受け４を支持している野縁受けハンガー３において、吊りボルト固定部３ａの垂直面に重合され、ここに複数のビス７を用いて固定される。
【００１６】
野縁受けハンガー拡開規制部６ｂは、野縁受けハンガー３のＵ字状部３ｂの拡開を規制可能であれば、形状は任意に設定することができる。例えば、本実施形態の野縁受けハンガー拡開規制部６ｂは、野縁受けハンガー固定部６ａの下端部から水平方向に延出すると共に、その先端部にフック形状を有しており、このフック部分が野縁受けハンガー３の係止片３に対して外方から係合することにより、Ｕ字状部３ｂの拡開を規制している。
【００１７】
補強ブレース取付部６ｃは、少なくとも１本の補強ブレース５を取付可能であれば良いが、好ましくは、２本の補強ブレース５を取付可能とする。例えば、本実施形態の耐震補強金具６では、野縁受けハンガー固定部６ａの両側部に、それぞれ１本づつ補強ブレース５を取付可能な補強ブレース取付部６ｃが形成されている。
【００１８】
補強ブレース取付部６ｃ及び野縁受けハンガー拡開規制部６ｂは、野縁受けハンガー固定部６ａと別体として形成し、その後に野縁受けハンガー固定部６ａに一体化することも可能であるが、本実施形態の補強ブレース取付部６ｃ及び野縁受けハンガー拡開規制部６ｂは、野縁受けハンガー固定部６ａに一体に折曲形成されている。
【００１９】
次に、本実施形態に係る耐震補強金具６の使用例について説明する。本実施形態の耐震補強金具６を野縁受けハンガー３に取付ける場合は、図４及び図５に示すように、野縁受け４を支持している野縁受けハンガー３において、吊りボルト固定部３ａの垂直面に、耐震補強金具６の野縁受けハンガー固定部６ａを重合させると共に、この重合部に複数のビス７を螺込む。これにより、耐震補強金具６が野縁受けハンガー３に一体的に取付けられる。
【００２０】
耐震補強金具６を野縁受けハンガー３に取付けると、耐震補強金具６の野縁受けハンガー拡開規制部６ｂは、野縁受けハンガー３のＵ字状部３ｂの先端部に形成される係止片３ｃに対して外方から係合する。これにより、Ｕ字状部３ｂの拡開を規制することができる。
【００２１】
また、耐震補強金具６に補強ブレース５の下端部を取付ける場合は、耐震補強金具６の補強ブレース取付部６ｃに、補強ブレース５の下端部を重合させると共に、この重合部に複数のビス８を螺込む。そして、本実施形態の耐震補強金具６は、野縁受けハンガー固定部６ａの両側部に補強ブレース取付部６ｃを備えるので、２本の補強ブレース５を取付けることができる。
【００２２】
叙述の如く構成された本発明の実施の形態において、躯体天井部１から所定の間隔を存して垂下される複数の吊りボルト２と、吊りボルト２の下端部に固定される野縁受けハンガー３と、野縁受けハンガー３のＵ字状部３ｂで支持される野縁受け４と、吊りボルト２間に傾斜状に架設される補強ブレース５とを含む天井下地において、耐震強度を向上させるために耐震補強金具６が使用されるのであるが、本発明の実施形態に係る耐震補強金具６は、野縁受けハンガー３に固定される野縁受けハンガー固定部６ａと、補強ブレース５の下端部を取付可能な補強ブレース取付部６ｃと、野縁受けハンガー３のＵ字状部３ｂの拡開を規制する野縁受けハンガー拡開規制部６ｂとを一体的に備えるので、
地震の揺れによって野縁受けハンガー３のＵ字状部３ｂが拡開状に変形してしまうことを確実に防止して、野縁受け４のガタツキやＴバーなどの位置ずれに対して極めて有効な耐震強度の向上を図ることができ、天井パネルの脱落が生じる危惧を回避することができるばかりか、新設天井は勿論、既設天井であっても、野縁受けハンガー３を交換するなどの大がかりな改修工事を必要とすることなく、野縁受けハンガー３に取付けるだけの簡単な工事で耐震補強を行うことができ、しかも、補強ブレース５の固定金具を兼ねることにより、補強ブレース５の増設を容易に行うことができ、耐震施工における作業が簡略化され、天井工事の作業性及び施工期間の短縮など効率を向上させることができる。
【００２３】
また、補強ブレース取付部６ｃは、野縁受けハンガー固定部６ａの両側部に形成され、２本の補強ブレース５を取付可能であるため、補強ブレース５の増設による耐震補強がさらに容易になる。
【００２４】
また、補強ブレース取付部６ｃ及び野縁受けハンガー拡開規制部６ｂは、野縁受けハンガー固定部６ａに一体に折曲形成されるため、補強ブレース取付部６ｃ及び野縁受けハンガー拡開規制部６ｂを、野縁受けハンガー固定部６ａと別体として形成し、その後に野縁受けハンガー固定部６ａに一体化する場合に比べ、コストダウンが図れる。
【図面の簡単な説明】
【００２５】
【図１】図１は、本発明の実施形態に係る天井下地の側面図である。
【図２】本発明の実施形態に係る天井下地の要部側面図である。
【図３】（Ａ）、（Ｂ）は、本発明の実施形態に係る耐震補強金具の平面図、側面図である。
【図４】本発明の実施形態に係る耐震補強金具の取付方法を示す説明図である。
【図５】本発明の実施形態に係る耐震補強金具の取付状態を示す正面図である。
【符号の説明】
【００２６】
１    躯体天井部
２    吊りボルト
３    野縁受けハンガー
３ａ  吊りボルト固定部
３ｂ  Ｕ字状部
３ｃ  係止片
４    野縁受け
５    補強ブレース
６    耐震補強金具
６ａ  野縁受けハンガー固定部
６ｂ  野縁受けハンガー拡開規制部
６ｃ  補強ブレース取付部
７    ビス
８    ビス
【図１】
2010121370.tif 000003
【図２】
2010121370.tif 000004
【図３】
2010121370.tif 000005
【図４】
2010121370.tif 000006
【図５】
2010121370.tif 000007